【手続補正書】
【提出日】平成16年1月5日(2004.1.5)
【手続補正１】
【補正対象書類名】明細書
【補正対象項目名】発明の名称
【補正方法】変更
【補正の内容】
【発明の名称】サブワード型不特定話者音声認識装置


【手続補正２】
【補正対象書類名】明細書
【補正対象項目名】特許請求の範囲
【補正方法】変更
【補正の内容】
【特許請求の範囲】
【請求項１】
入力された音声を少なくとも１個の部分単語の系列に変換する部分単語系列生成手段と、
前記部分単語系列生成手段によって変換された部分単語系列に対応する情報が登録される使用者登録単語辞書と、
前記使用者登録単語辞書に登録されている各部分単語系列に対応する情報から部分単語音声モデルがつなぎ合わされた単語音声モデルを取得する単語音声モデル取得手段と、
使用者が発声した音声を、前記使用者登録単語辞書から取得された単語音声モデルを用いて認識する主音声認識手段とを具備することを特徴とするサブワード型不特定話者音声認識装置。
【請求項２】
前記部分単語系列生成手段によって変換された部分単語系列が予め定められた登録条件を満たしているか否かを判定する登録条件判定手段を更に具備し、
前記使用者登録単語辞書には、前記登録条件判定手段によって登録条件を満たしていると判定された部分単語系列に対応する情報が登録されることを特徴とする請求項１記載のサブワード型不特定話者音声認識装置。
【請求項３】
前記部分単語系列生成手段によって変換された全ての部分単語系列について、その部分単語系列を表す情報を使用者に提示して、その登録の可否について使用者からの指定を受け付け、その受け付けた指定内容に応じて対応する部分単語系列の登録の可否を確認する登録確認手段を更に具備し、
前記使用者登録単語辞書には、前記登録確認手段によって登録可が確認された部分単語系列に対応する情報が登録されることを特徴とする請求項１記載のサブワード型不特定話者音声認識装置。
【請求項４】
前記部分単語系列生成手段によって変換された全ての部分単語系列について、その部分単語系列を表す情報を使用者に提示し、当該情報を対象とする使用者の編集操作を受け付けて、当該情報に対する編集処理を行い、その編集処理の結果を対応する部分単語系列に反映させると共に、当該情報に対する登録の可否について使用者からの指定を受け付けて、その受け付けた指定内容に応じて対応する部分単語系列の登録の可否を確認する登録編集手段を更に具備し、
前記使用者登録単語辞書には、前記登録編集手段によって登録可が確認された部分単語系列に対応する情報が前記部分単語系列生成手段によって変換された部分単語系列に対応する情報として登録されることを特徴とする請求項１記載のサブワード型不特定話者音声認識装置。
【請求項５】
前記使用者登録単語辞書に登録されている部分単語系列に対応する情報を文字情報に変換して使用者に提示し、当該情報を対象とする使用者の編集操作を受け付けて、当該情報に対する編集処理を行い、その編集処理の結果を前記使用者登録単語辞書に反映させる使用者単語登録辞書編集手段を更に具備することを特徴とする請求項１記載のサブワード型不特定話者音声認識装置。
【請求項６】
単語の読みを表す文字列情報から生成された部分単語系列に対応する情報が、前記使用者登録単語辞書と同一の表現形式で登録された文字登録単語辞書を更に具備し、
前記単語音声モデル取得手段は、前記使用者登録単語辞書に登録されている各部分単語系列に対応する情報から部分単語音声モデルがつなぎ合わされた単語音声モデルを取得すると共に、前記文字登録単語辞書に登録されている各部分単語系列に対応する情報から部分単語音声モデルがつなぎ合わされた単語音声モデルを取得し、
前記主音声認識手段は、前記使用者登録単語辞書と前記文字登録単語辞書とから取得された単語音声モデルを用いて、使用者が発声した音声を認識することを特徴とする請求項１乃至請求項４のいずれかに記載のサブワード型不特定話者音声認識装置。
【請求項７】
単語登録モード時と音声認識モード時に使用者が発声した音声を認識して少なくとも１個の部分単語の系列を生成する部分単語系列生成手段と、
前記部分単語系列生成手段によって生成された部分単語系列に対応する情報が登録される使用者登録単語辞書と、
前記使用者登録単語辞書に登録されている各部分単語系列に対応する情報から部分単語音声モデルがつなぎ合わされた単語音声モデルを取得する単語音声モデル取得手段と、
音声認識モード時に使用者が発声した音声を、前記使用者登録単語辞書から取得された単語音声モデルを用いて認識する主音声認識手段と、
音声認識モード時に、前記部分単語系列生成手段により生成された部分単語系列の尤度、前記主音声認識手段の認識結果、及び当該認識結果の尤度の少なくとも１つをもとに、前記部分単語系列生成手段により生成された部分単語系列の登録の可否を判定し、その判定結果に応じて当該部分単語系列の情報を前記使用者登録単語辞書に追加登録する使用時単語登録判定手段とを具備することを特徴とするサブワード型不特定話者音声認識装置。
【請求項８】
単語登録モード時と音声認識モード時に使用者が発声した音声を認識して少なくとも１個の部分単語の系列を生成する部分単語系列生成手段と、
前記部分単語系列生成手段によって生成された部分単語系列に対応する情報が登録される使用者登録単語辞書と、
前記使用者登録単語辞書に登録されている各部分単語系列に対応する情報から部分単語音声モデルがつなぎ合わされた単語音声モデルを取得する単語音声モデル取得手段と、
音声認識モード時に使用者が発声した音声を、前記使用者登録単語辞書から取得された単語音声モデルを用いて認識し、認識結果を出力する主音声認識手段と、
前記主音声認識手段による認識結果出力時に使用者からの部分単語系列登録指示の受け付けを行い、当該登録指示を受け付けた際には、前記部分単語系列生成手段によって生成され且つ登録指示された部分単語系列に対応する情報を前記使用者登録単語辞書に追加登録する使用時単語登録確認手段とを具備することを特徴とするサブワード型不特定話者音声認識装置。
【請求項９】
前記部分単語系列生成手段によって変換された部分単語系列を当該部分単語系列とは異なる表現体系の別の部分単語系列に変換する部分単語体系変換手段を更に具備し、
前記部分単語体系変換手段による変換後の部分単語系列に対応する情報が前記使用者登録単語辞書に登録されるように構成されていることを特徴とする請求項１記載のサブワード型不特定話者音声認識装置。
【請求項１０】
前記登録条件判定手段は、前記部分単語系列が登録条件を満たしているか否かを、当該部分単語系列の尤度及び前記部分単語系列生成手段によって変換された部分単語系列の個数の少なくとも一方をもとに判定することを特徴とする請求項２記載のサブワード型不特定話者音声認識装置。
【請求項１１】
単語登録モード時と音声認識モードでの予め定められた条件の成立時とに使用者が発声した音声を認識して少なくとも１個の部分単語の系列を生成する部分単語系列生成手段と、
前記部分単語系列生成手段によって生成された部分単語系列に対応する情報が登録される使用者登録単語辞書と、
前記使用者登録単語辞書に登録されている各部分単語系列に対応する情報から部分単語音声モデルがつなぎ合わされた単語音声モデルを取得する単語音声モデル取得手段と、
音声認識モード時に使用者が発声した音声を、前記使用者登録単語辞書から取得された単語音声モデルを用いて認識する主音声認識手段と、
音声認識モード時に使用者が発声した音声を一時記憶するための入力音声記憶手段と、
音声認識モード時に、前記主音声認識手段の認識結果の尤度をもとに前記条件の成立の有無を判定し、条件成立を判定した場合には前記入力音声記憶手段に記憶されている音声を前記部分単語系列生成手段に入力させて当該部分単語系列生成手段を動作させ、当該部分単語系列生成手段により生成される部分単語系列の尤度、前記主音声認識手段の認識結果、及び当該認識結果の尤度の少なくとも１つをもとに、前記部分単語系列生成手段により生成された部分単語系列の登録の可否を判定して、その判定結果に応じて当該部分単語系列の情報を前記使用者登録単語辞書に追加登録する使用時単語登録判定手段とを具備することを特徴とするサブワード型不特定話者音声認識装置。
【請求項１２】
入力された音声を少なくとも１個の部分単語の系列に変換する部分単語系列生成手段と、
前記変換された部分単語系列に対応する情報を、当該部分単語系列に対応する情報から部分単語音声モデルがつなぎ合わされた単語音声モデルを取得して当該単語音声モデルを用いて認識処理が行えるように、音声認識時に参照される使用者登録単語辞書に登録する辞書登録手段とを備えたことを特徴とするサブワード型不特定話者音声認識用単語辞書作成装置。
【手続補正３】
【補正対象書類名】明細書
【補正対象項目名】０００１
【補正方法】変更
【補正の内容】
【０００１】
【発明の属する技術分野】
本発明は、使用者が容易かつ適切に単語を追加登録することの可能なサブワード型不特定話者音声認識装置に関する。


【手続補正４】
【補正対象書類名】明細書
【補正対象項目名】００４５
【補正方法】変更
【補正の内容】
【００４５】
本発明は、上記のような実情を考慮してなされたもので、その目的は、特定話者音声認識方式と同程度の容易さで単語登録を行うことができるサブワード型不特定話者音声認識装置を提供することにある。


【手続補正５】
【補正対象書類名】明細書
【補正対象項目名】００４６
【補正方法】変更
【補正の内容】
【００４６】
本発明の他の目的は、使用者の発音に応じて単語辞書を更新することができるサブワード型不特定話者音声認識装置を提供することにある。


【手続補正６】
【補正対象書類名】明細書
【補正対象項目名】００４７
【補正方法】変更
【補正の内容】
【００４７】
本発明の更に他の目的は、使用者の発音に応じた単語辞書の登録において誤った登録が行われるのを防止できるサブワード型不特定話者音声認識装置を提供することにある。


【手続補正７】
【補正対象書類名】明細書
【補正対象項目名】００４８
【補正方法】変更
【補正の内容】
【００４８】
本発明の更に他の目的は、構成の簡略化が図れるサブワード型不特定話者音声認識装置を提供することにある。


【手続補正８】
【補正対象書類名】明細書
【補正対象項目名】００４９
【補正方法】変更
【補正の内容】
【００４９】
本発明の更に他の目的は、使用者の音声に逐次適応して認識精度の向上が図れるサブワード型不特定話者音声認識装置を提供することにある。


【手続補正９】
【補正対象書類名】明細書
【補正対象項目名】００６２
【補正方法】削除
【補正の内容】
【手続補正１０】
【補正対象書類名】明細書
【補正対象項目名】００６３
【補正方法】削除
【補正の内容】
【手続補正１１】
【補正対象書類名】明細書
【補正対象項目名】００６４
【補正方法】変更
【補正の内容】
【００６４】
本発明の第５の観点に係る構成は、上記第１の観点に係る構成に、使用者登録単語辞書に登録されている部分単語系列に対応する情報を文字情報に変換して使用者に提示し、当該情報を対象とする使用者の編集操作を受け付けて、当該情報に対する編集処理を行い、その編集処理の結果を使用者登録単語辞書に反映させる使用者単語登録辞書編集手段を追加したことを特徴とする。


【手続補正１２】
【補正対象書類名】明細書
【補正対象項目名】００６６
【補正方法】変更
【補正の内容】
【００６６】
本発明の第６の観点に係る構成は、上記第１乃至第４の観点に係る構成のいずれかに、単語の読みを表す文字列情報から生成された部分単語系列に対応する情報が、使用者登録単語辞書と同一の表現形式で登録された文字登録単語辞書を追加し、主音声認識手段による認識処理に際しては、使用者登録単語辞書に登録されている各部分単語系列に対応する情報から部分単語音声モデルがつなぎ合わされた単語音声モデルを取得すると共に、文字登録単語辞書に登録されている各部分単語系列に対応する情報からも部分単語音声モデルがつなぎ合わされた単語音声モデルを取得し、これらの各単語音声モデルを用いて、使用者が発声した音声を認識するようにしたことを特徴とする。


【手続補正１３】
【補正対象書類名】明細書
【補正対象項目名】００６８
【補正方法】変更
【補正の内容】
【００６８】
本発明の第７の観点に係る構成は、上記第１乃至第４の観点に係る構成のいずれかにおける部分単語系列生成手段が、単語登録モード時だけでなく、音声認識モード時にも、使用者が発声した音声を認識して少なくとも１個の部分単語の系列を生成する構成とすると共に、次のような使用時単語登録判定手段、即ち音声認識モード時に、部分単語系列生成手段により生成された部分単語系列の尤度、主音声認識手段の認識結果、及び当該認識結果の尤度の少なくとも１つをもとに、部分単語系列生成手段により生成された部分単語系列の登録の可否を判定し、その判定結果に応じて当該部分単語系列の情報を使用者登録単語辞書に追加登録する使用時単語登録判定手段を新たに設けたことを特徴とする。


【手続補正１４】
【補正対象書類名】明細書
【補正対象項目名】００７２
【補正方法】変更
【補正の内容】
【００７２】
本発明の第８の観点に係る構成は、上記第１乃至第４の観点に係る構成のいずれかにおける部分単語系列生成手段が、単語登録モード時だけでなく、音声認識モード時にも、使用者が発声した音声を認識して少なくとも１個の部分単語の系列を生成する構成とすると共に、次のような使用時単語登録確認手段、即ち主音声認識手段による認識結果出力時に使用者からの部分単語系列登録指示の受け付けを行い、当該登録指示を受け付けた際には、部分単語系列生成手段によって生成され且つ登録指示された部分単語系列に対応する情報を使用者登録単語辞書に追加登録する使用時単語登録確認手段を新たに設けたことを特徴とする。


【手続補正１５】
【補正対象書類名】明細書
【補正対象項目名】００７４
【補正方法】変更
【補正の内容】
【００７４】
なお、上記第７または第８の観点に係る構成における部分単語系列生成手段に代えて、音声認識モード時には、予め定められた条件が成立した場合だけ、入力音声に対する認識処理を行って部分単語系列を生成する部分単語系列を用いると共に、音声認識モード時に使用者が発声した音声を一時記憶するための入力音声記憶手段を新たに設け、更に上記使用時単語登録判定手段に代えて、音声認識モード時に、主音声認識手段の認識結果の尤度をもとに上記条件の成立の有無を判定し、条件成立を判定した場合には入力音声記憶手段に記憶されている音声を部分単語系列生成手段に入力させて当該部分単語系列生成手段を動作させ、当該部分単語系列生成手段により生成される部分単語系列の尤度、主音声認識手段の認識結果、及び当該認識結果の尤度の少なくとも１つをもとに、部分単語系列生成手段により生成された部分単語系列の登録の可否を判定して、その判定結果に応じて当該部分単語系列の情報を前記使用者登録単語辞書に追加登録する使用時単語登録判定手段を設けた構成とすることも可能である。


【手続補正１６】
【補正対象書類名】明細書
【補正対象項目名】０３４０
【補正方法】削除
【補正の内容】